(57)【要約】【課題】両手を用いることなく大型毛束と小型毛束を使い分けることのできる刷毛を提供すること。【解決手段】柄部１６及び小型毛束２０を有する小型毛束付部材１２と、指通し孔１８及び大型毛束２２を有する大型毛束付部材１４と、大型毛束付部材１４の小型毛束付部材１２に対する摺動を許容して大型毛束付部材１４と小型毛束付部材１２を係合する突起挿入部２９、突起部４７と、係合された状態で大型毛束２２が小型毛束２０に対して後退している時に、大型毛束２２を小型毛束２０から突出させる方向に大型毛束付部材１４を摺動させる付勢力を与えるバネ４３と、大型毛束２２と小型毛束２０が面一となる大型毛束付部材１４の位置で大型毛束付部材１４の摺動を制止するねじ孔３５及びねじ４０と、で刷毛１０を構成した。【選択図】図１
2008259670.tif 000002
【特許請求の範囲】
【請求項１】
先端に小型毛束が設けられその基端に手で把持する小型毛束側把持部を有する小型毛束付部材と、
先端に大型毛束が設けられその基端に手で把持する大型毛束側把持部を有する大型毛束付部材と、
前記小型毛束付部材と前記大型毛束付部材との相対的な摺動を許容して該小型毛束付部材と前記大型毛束付部材を係合する係合手段と、
該係合手段によって係合した状態で前記小型毛束と前記大型毛束が面一となる位置又は、前記小型毛束が前記大型毛束よりも突出する位置となるように前記小型毛束付部材又は前記大型毛束付部材を付勢する付勢手段と、
前記小型毛束と前記大型毛束が面一となる位置又は、前記小型毛束が前記大型毛束より突出する位置で前記小型毛束付部材と前記大型毛束付部材の相対的な摺動を制止する制止手段と、を有し、
前記小型毛束側把持部と前記大型毛束側把持部の両方を同じ手で把持し動かすことにより前記小型毛束付部材と前記大型毛束付部材を相対的に摺動させることが可能であることを特徴とする刷毛。
【請求項２】
前記小型毛束側把持部は、
手の平で支持する部分である柄部として構成され、
前記大型毛束側把持部は、
前記柄部を把持した手で指を掛ける指掛け部として構成され、
前記係合手段により前記小型毛束付部材と大型毛束付部材とが係合した状態で前記柄部を手の平で支持した状態で前記指掛け部にその手の指を掛け動かすことにより前記大型毛束付部材を前記小型毛束付部材に対して摺動させることが可能であり、
前記大型毛束が前記小型毛束に対して後退している状態の時、前記付勢手段により前記大型毛束と小型毛束が面一となるように前記大型毛束付部材が付勢され、
前記制止手段により前記大型毛束と前記小型毛束が面一となる前記大型毛束付部材の位置で該大型毛束付部材の摺動が制止されることを特徴とする請求項１に記載の刷毛。
【請求項３】
前記係合手段は、
前記大型毛束付部材が前記小型毛束付部材に対して摺動する方向に沿って該大型毛束付部材に延在する突起部と、
前記小型毛束付部材に設けられ前記突起部の摺動を許容し該突起部が挿入される突起挿入部と、を有することを特徴とする請求項２に記載の刷毛。
【請求項４】
前記制止手段は、
前記突起挿入部に設けられ、前記突起部に当接して該突起部の離脱を防止する離脱防止部材であることを特徴とする請求項３に記載の刷毛。
【請求項５】
前記指掛部は、
前記大型毛束付部材に基端に設けられた指通し孔として構成されたことを特徴とする請求項２〜４の何れか１項に記載の刷毛。
【発明の詳細な説明】
【技術分野】
【０００１】
本発明は、刷毛に関し、特に、大型の毛束と小型の毛束を有しており、塗装場所の状態に応じて、それら毛束を切り替えて使用することができる刷毛に関する。
【背景技術】
【０００２】
従来より、鉄塔やビルの外壁等の塗装は、昇降機等で塗装が必要な場所まで昇った作業員によって、塗料を毛に染み込ませた刷毛を用いて手作業で行われる。このような鉄塔等の塗装においては、鉄骨の表面のように塗装面積が広い箇所と、ボルトの部分等の塗装面積が狭い箇所が存在する。
【０００３】
そのような塗装面積の異なる部分の塗装をスムーズに行うためには、広い面積の部分を塗装するための大型の毛束が取り付けられた刷毛と、大型の毛束では塗りづらい狭い面積の部分の塗装するための小型の毛束が取り付けられた刷毛と、の少なくとも２種類の刷毛を使い分ける必要があった。
【０００４】
このように２種類の刷毛を作業時に使い分けることは、作業効率が著しく悪く、また、使用していない刷毛を落下させてしまう等の危険があった。また、１種類の刷毛しか形態できない場合は、刷毛を交換する際に、使用していないもう一方の刷毛を離れた場所まで取りに行き、それに塗料を付け元の作業場所に戻らなければならず、その度、塗装作業が中断されて作業効率が著しく低下してしまうという問題があった。この問題を解決すべく、特許文献１には、図７に示すような刷毛１００について記載されている。図示のように、刷毛１００においては、柄１０２にそって摺動するスライダ１０１に取り付けられた支持棒１０３の先端に、小型毛束１０６が設けられている。この支持棒１０３は、大型毛束１０４のホルダ１０５に設けられた孔部に１０７に摺動可能に挿入されている。
【０００５】
この構成により、刷毛１００では、スライダ１０１を大型毛束１０４の毛先方向に移動させることにより、小型毛束１０６が突出し、スライダ１０１を大型毛束１０４の毛先方向と逆の方向に移動させることにより、小型毛束１０６は、大型毛束１０４の内部に収容される。これにより、小型毛束１０６を突出させることで塗装面積の狭い場所を塗装することができ、一方、小型毛束１０６を収容することにより大型毛束１０４で塗装できる状態となり、塗装面積の広い場所を塗装することができる。
【０００６】
従って、塗装面積に応じて刷毛自体を取り替える作業を行うことなく、１本の刷毛で塗装面積が広い箇所と塗装面積が狭い箇所の塗り分けを行うことができるので、刷毛の交換作業を省略することができ、作業効率を向上させることができる。
【０００７】
【特許文献１】特開平５−４９５１１号公報
【発明の開示】
【発明が解決しようとする課題】
【０００８】
上記特許文献１の技術においては、スライダ１０１と柄１０２を一方の手で包みこむ状態で作業を行うため、小型毛束１０６を大型毛束１０４から突出させる、或いは、突出した小型毛束１０６を収容させるために柄１０２を持っている手とは、反対の手を用いてスライダ１０１を移動させなければならなかった。これにより、大型毛束１０４と小型毛束１０６の切り替えの時には、刷毛自体を取り替える必要はないが両手を用いなければならないので、２種類の刷毛を用いる場合ほどではないものの、毛束の切り替えによって塗装作業の効率が低下するという問題があった。
【０００９】
また、鉄塔等の塗装は、足場の悪い高所で行われることが多いため、大型毛束１０４と小型毛束１０６を取り替える際に両手を使用することは、作業員にとって危険であるという問題もあった。
【００１０】
本発明は、上記の問題を解決するためになされたものであり、その目的は、両手を用いることなく大型毛束と小型毛束を使い分けることのできる刷毛を提供することにある。
【課題を解決するための手段】
【００１１】
上記課題を解決するための請求項１に記載の刷毛は、先端に小型毛束が設けられその基端に手で把持する小型毛束側把持部を有する小型毛束付部材と、先端に大型毛束が設けられその基端に手で把持する大型毛束側把持部を有する大型毛束付部材と、前記小型毛束付部材と前記大型毛束付部材との相対的な摺動を許容して該小型毛束付部材と前記大型毛束付部材を係合する係合手段と、該係合手段によって係合した状態で前記小型毛束と前記大型毛束が面一となる位置又は、前記小型毛束が前記大型毛束よりも突出する位置となるように前記小型毛束付部材又は前記大型毛束付部材を付勢する付勢手段と、前記小型毛束と前記大型毛束が面一となる位置又は、前記小型毛束が前記大型毛束より突出する位置で前記小型毛束付部材と前記大型毛束付部材の相対的な摺動を制止する制止手段と、を有し、前記小型毛束側把持部と前記大型毛束側把持部の両方を同じ手で把持し動かすことにより前記小型毛束付部材と前記大型毛束付部材を相対的に摺動させることが可能であることを特徴とする。
【００１２】
これによれば、小型毛束付部材と大型毛束付部材の相対的な摺動によって、小型毛束が大型毛束に対して突出する状態と小型毛束が大型毛束と面一となる状態との切り替え、或いは、大型毛束が小型毛束と面一になる状態と大型毛束が小型毛束に対して後退する状態との切り替えが行われる。従って、本発明の刷毛によれば、両手を用いることなく片手による操作で、塗装に用いる毛束の切り替えを行うことができる。また、本発明においては、小型毛束付部材と大型毛束付部材の相対的な摺動に、付勢手段による付勢力を利用することができる。
【００１３】
請求項２に記載の刷毛は、請求項１に記載の発明において、前記小型毛束側把持部は、手の平で支持する部分である柄部として構成され、前記大型毛束側把持部は、前記柄部を把持した手で指を掛ける指掛け部として構成され、前記係合手段により前記小型毛束付部材と大型毛束付部材とが係合した状態で前記柄部を手の平で支持した状態で前記指掛け部にその手の指を掛け動かすことにより前記大型毛束付部材を前記小型毛束付部材に対して摺動させることが可能であり、前記大型毛束が前記小型毛束に対して後退している状態の時、前記付勢手段により前記大型毛束と小型毛束が面一となるように前記大型毛束付部材が付勢され、前記制止手段により前記大型毛束と前記小型毛束が面一となる前記大型毛束付部材の位置で該大型毛束付部材の摺動が制止されることを特徴とする。
【００１４】
これにより、大型毛束と小型毛束とが面一となる状態と大型毛束の後退する状態の切り替え、すなわち、塗装に用いる毛束の切り替えを行うことができる。また、本発明においては、大型毛束が小型毛束に対して後退する状態から、大型毛束と小型毛束が面一となる状態への切り替えは、付勢手段による付勢を利用して行うことができる。
【００１５】
請求項３に記載の刷毛は、請求項２に記載の発明において、前記係合手段は、前記大型毛束付部材が摺動する方向に沿って該大型毛束付部材に延在する突起部と、前記小型毛束付部材に設けられ前記突起部の摺動を許容し該突起部が挿入される突起挿入部と、を有することを特徴とする。これにより、大型毛束付部材の小型毛束付部材に対する摺動を許容しつつ当該両部材を係合する構成が容易に実現される。
【００１６】
請求項４に記載の刷毛は、請求項３に記載の発明において、前記制止手段は、前記突起挿入部に設けられ、前記突起部に当接して該突起部の離脱を防止する離脱防止部材であることを特徴とする。これにより、大型毛束付部材と小型毛束付部材との係合状態が確実に保たれ、それらが分離することを防止することができる。
【００１７】
請求項５に記載の刷毛は、請求項２〜４の何れか１項に記載の発明において、前記指掛部は、前記大型毛束付部材に基端に設けられた指通し孔として構成されたことを特徴とする。これにより、指通し孔に指を通して容易に大型毛束付部材に指を掛けることができる。
【発明の効果】
【００１８】
本発明にかかる刷毛によれば、小型毛束付部材と大型毛束付部材の相対的な摺動によって、小型毛束が大型毛束に対して突出する状態と小型毛束が大型毛束と面一となる状態との切り替え、或いは、大型毛束が小型毛束と面一になる状態と大型毛束が小型毛束に対して後退する状態との切り替えが行われる。
【００１９】
従って、本発明の刷毛によれば、両手を用いることなく片手による操作で、塗装に用いる毛束の切り替えを行うことができる。また、本発明においては、小型毛束付部材と大型毛束付部材の相対的な摺動に、付勢手段による付勢力を利用することができる。
【００２０】
従って、短時間かつ容易に毛束の切り替えを行うことができるので、塗装作業の効率の低下を最小限に抑えることができる。また、刷毛を持たない方の手は自由な状態であるので、高所かつ足場が悪い場所での作業における危険も軽減することができる。
【発明を実施するための最良の形態】
【００２１】
以下、本発明にかかる実施の形態について図面を参照して詳細に説明する。図１は、本実施の形態にかかる刷毛１０の概略斜視図である。図示のように、刷毛１０は、小型毛束付部材１２と大型毛束付部材１４が一体化された状態で構成されており、小型毛付部材１２の柄部１６を把持した状態で、大型毛束付部材１４の指通し孔１８に柄部１６を把持している手の指を掛けて使用する。
【００２２】
後に詳細に説明するが、本実施の形態の刷毛１０では、指通し孔１８に掛けた指を手前側に引くことにより、大型毛束付部材１４が小型毛束付部材１２に対して摺動し大型毛束２２が後退する。すなわち、大型毛束２２が塗装面に対して小型毛束２０よりも後退した状態となる。なお、図１は、丁度、大型毛束２２が小型毛束２０より後退した状態を示している。また、上述の引いた指を戻すと大型毛束付部材１４が元の位置に戻り、大型毛束２２と小型毛束２０が面一となる。
【００２３】
以下、小型毛束付部材１２の構成、大型毛束付部材１４の構成及び大型毛束付部材１４が小型毛束付部材１２に対して摺動するための機構について詳細に説明する。
【００２４】
図２は、小型毛束付部材１２の構成を示す説明図である。図示のように、小型毛束付部材１２は、いわゆるピストル型の形状であり、基端が手で把持する部分である柄部１６として構成され、この柄部１６の上端から屈曲し延在する本体部２４を有している。なお、本実施の形態では、小型毛束付部材１２は、ポリアミド、ポリエチレン、エポキシ樹脂等の樹脂性で形成されている。
【００２５】
柄部１６は、略中空に構成されるとともに、手で把持した際に手の平が当接する部分であり所定の厚み（例えば５mm程度）を有した柄壁部１６ａと、この柄壁部１６ａが下方で屈曲して連続形成された底面部１６ｂと、この底面部１６ｂの前方側端部が更に屈曲され形成された薬指と小指を当接させる部分である指当接部１６ｃを有している。
【００２６】
柄部１６の上部において、柄壁部１６ａの内側面に、一端が開口した固定筒１７が柄壁部１６ａと一体に形成されており、この固定筒１７は、平坦な底面１７ａを有している。また、指当接部１６ｃの上方は、後述する大型毛束付部材１４の挿入を許容する開口１９が設けられている。
【００２７】
本体部２４は、柄部１６と同様に略中空に形成されており、柄壁部１６ａの上部から連続して形成される本体壁部２４ａを有している。図３には、小型毛束付部材１２を正面側から視た図を示す。なお、図３には、簡略化のため固定筒１７を図示しない。
【００２８】
図２、図３に示されるように、この本体壁部２４ａは、本体部２４の先端位置において前面壁部２４ｂを形成している。そして、この前面壁部２４ｂの表面側には、山羊の毛や牛革等で作成された毛を複数束ねて形成された小型毛束２０が設けられている。
【００２９】
前面壁部２４ｂの下部にはその裏面側から本体部２４の延在方向に延在した一対の突状ガイド２８及び、この突状ガイド２８の下方で同様に平行に延在した突状ガイド３０がそれぞれ設けられており、その突状ガイド２８、３０の間に後述する大型毛束付部材１４の突起部４７を挿入する突起挿入部２９が形成されている。また、突起挿入部２９の先端部２９ａの近傍で突起挿入部２９を囲む両壁部上には、ねじ４０を挿入するねじ孔３５が設けられている。このねじ４０は、大型毛束付部材１４の突起部４７の離脱を防止する離脱防止手段として作用する。
【００３０】
図４は、大型毛束付部材１４の構成を示す説明図であり、図５は、大型毛束付部材１４を大型毛束２２側から見た状態を示している。大型毛束付部材１４は、全体として樹脂製で壁部１４ａを有し略中空に構成されている。また、大型毛束付部材１４の基端３７には、円形の孔として形成される指通し孔１８が設けられている。
【００３１】
なお、本実施の形態では、小型毛束付部材１２の柄部１６を把持した状態で、その手の指を掛けやすいようにこの指通し孔１８を設けているが、この指通し孔１８を設けることなく、基端３７に指を掛けるようにしても良い。
【００３２】
基端３７の後端には、円筒形の支持筒４１に収納された付勢手段としてのバネ４３が取り付けられている。このバネ４３は、大型毛束２２の延在方向と略同方向に伸縮するように設置されており、支持筒４１によって、支持されている。
【００３３】
一方、この基端３７から先端に向かって毛付部４５が延在しており、この毛付部４５の上部には、凹部４６が形成されている。この凹部４６は、毛付部４５の長手部分の全体に亘って設けられており、この凹部が設けられたことにより毛付部４５の上端に一対の突起部４７が形成される。後に詳細に説明するが、この突起部４７は、大型毛束付部材１４が小型毛束付部材１２と一体化される際に、小型毛束付部材１２の突起挿入部２９に挿入されるものである。
【００３４】
また、毛付部４５の先端の部分では、壁部１４ａが屈曲することで前面壁部１４ｂが形成されており、この前面壁部１４ｂの表面側には、山羊の毛や牛革等で作成された毛を複数束ねて形成された大型毛束２２が設けられている。
【００３５】
次に、小型毛束付部材１２と大型毛束付部材１４が一体化され刷毛１０として作動する状態について説明する。図６には、小型毛束付部材１２と大型毛束付部材１４が一体化され、大型毛束付部材１４が小型毛束付部材１２に対して摺動する状態を示している。図示のように、本実施の形態の刷毛１０は、小型毛束付部材１２の突起挿入部２９の先端部２９ａを大型毛束付部材１４の突起部４７の後端部４７ａから挿入して一体化することにより構成される。
【００３６】
この挿入によって、バネ４３が収容された支持筒４１が固定筒１７に挿入され、バネ４３の先端が底面１７ａに当接する。そして、ねじ４０をねじ孔３５に挿通させることで、このねじ４０により前面壁部１４ｂが支持される。これによって、大型毛束付部材１４がねじ４０の位置で係止され、大型毛束付部材１４の小型毛束付部材１２からの離脱を防止することができる。なお、前面壁部１４ｂがねじ４０に当接して係止される位置では、大型毛束２２と小型毛束２０が面一となっている。このように大型毛束２２と小型毛束２０が面一の状態では、小型毛束２０と大型毛束２２の両方の毛束を合わせて塗装面に塗装を行う状態となるので、鉄骨の表面等の塗装面積の大きい場所における塗装を良好に行うことができる。
【００３７】
そして、柄１６を手で把持し、その手の人差し指と中指を指掛け部１８に掛けて、その指を手前側に引くことにより、図の二点鎖線で示したように大型毛束付部材１４が小型毛束付部材１２に対して摺動し手前側に移動する。従って、小型毛束２０と面一であった大型毛束２２は、大型毛束付部材１４の手前側への移動に伴って、小型毛束２０に対して後退する状態となる。
【００３８】
従って、上述のように指を引いた状態において、塗装面に対して小型毛束２０のみが突出するので、鉄塔のボルト等の小型の毛で塗装する必要がある場所においての塗装を行うことができる。
【００３９】
一方、上述の手前側に引く力を解放すると、バネ４３の付勢力により、大型毛束付部材１４が摺動し、上記移動の前の元の位置に戻る。すなわち、大型毛束２２と小型毛束２０が再び面一となる。従って、大型毛束２２が小型毛束２０に対して後退する状態から大型毛束２２と小型毛束２０が面一となる状態への切り替えは、バネ４３による付勢力を利用して行うことができるので、毛束の切り替えをより容易に行うことができる。
【００４０】
なお、このバネ４３は、固定筒１７及び支持筒４１によりガイドされているので、変位すべき方向からずれることなく大型毛束付部材１４に付勢力を与えることができる。従って、大型毛束２２と小型毛束２０が面一となるように大型毛束部材１４を適正に移動させることができる。
【００４１】
以上のことにより、本実施の形態にかかる刷毛１０においては、両手を用いることなく片手による操作で、大型毛束２２が小型毛束２０と塗装面に対して並ぶ状態と後退する状態の切り替え、すなわち、塗装に用いる毛束の切り替えを行うことができる。従って、短時間かつ容易に毛束の切り替えを行うことができるので、塗装作業の効率の低下を最小限に抑えることができる。また、刷毛を持たない方の手は自由な状態であるので、高所かつ足場が悪い場所での作業における危険も軽減することができる。
【００４２】
また、本発明の本質的な部分ではないが、上述の刷毛１０は、高所で使用されるので、この刷毛１０が作業員の手から落下することを防止するために、小型毛束付部材１２に紐をかける紐掛け部を設け、その紐掛け部に掛けた紐を腕に付けて塗装作業を行うようにしても良い。
【００４３】
なお、本発明は、上記実施の形態に限られるものではなく、発明の要旨の範囲内で種々の変更が可能である。例えば、本実施の形態の刷毛１０においては、大型毛束付部材１４の指通し孔１８に指を掛け手前側に引いた状態を保つ、すなわち、指で指通し孔１８を押さえることで大型毛束２２を突出させることができたが、大型毛束付部材１４を手前に引いた状態の位置で、指で押さえることなく固定できる機構を設けても良い。
【００４４】
これにより、刷毛１０を大型毛束２２が後退する状態、すなわち、小型毛束２０が突出した状態に固定することができるので、塗装面積の小さい場所での塗装を長い時間行う場合等においても指通し孔１８に指を掛け手前に引いた状態を保つ必要がない。従って、塗装面積の小さい場所における塗装作業が容易なものとなる。
【００４５】
更に、本実施の形態では、大型毛束付部材１４の小型毛束付部材１２に対する摺動によって、小型毛束２０と大型毛束２２が面一となる状態と大型毛束２２が小型毛束２０に対して後退する状態との切り替えが、行われているが、小型毛束付部材１２が大型毛束付部材１４に対して摺動することによって、小型毛束２０が大型毛束２２に対して突出する状態と、それらが面一になる状態とを切り替えるようにしても良い。
【図面の簡単な説明】
【００４６】
【図１】本実施の形態にかかる刷毛の使用状態を示す説明図である。
【図２】小型毛束付部材の構成を示す説明図である。
【図３】小型毛束付部材を正面から視た状態を示す説明図である。
【図４】大型毛束付部材の構成を示す説明図である。
【図５】大型毛束付部材を正面から視た状態を示す説明図である。
【図６】大型毛束付部材と小型毛束付部材が一体化された状態を示す図である。
【図７】従来の技術を示す図である。
【符号の説明】
【００４７】
１０      刷毛
１２      小型毛束付部材
１４      大型毛束付部材
１６      柄部
１７      固定筒
１８      指通し孔
２０      小型毛束
２２      大型毛束
２９      突起挿入部
４１      支持筒
４３      バネ（付勢手段）
４７      突起部
【図１】
2008259670.tif 000003
【図２】
2008259670.tif 000004
【図３】
2008259670.tif 000005
【図４】
2008259670.tif 000006
【図５】
2008259670.tif 000007
【図６】
2008259670.tif 000008
【図７】
2008259670.tif 000009